(57)【要約】【課題】取扱説明書を読まなくてもユーザが設問に答えるという対話形式で初期設定を可能とする方法（初期設定ウィザード）を提供する。【解決手段】初めて電源オンされた際に初期設定を行なうか否かの問合せを表示し（画面表示１）、初期設定を行なうときは、ユーザの住まいに関する情報（例えば関東地方）と、録画機器の使用場所に関する情報（例えば東京２３区）の情報入力を案内する（画面表示２〜４）。この入力が済むと、録画機器で実際に受信可能な放送チャネルが検索され、その検索結果が表示される（画面表示５〜６）。以下同様に画面の案内に従い対話形式で初期設定がなされる。【選択図】図５
2006324744.tif 000002
【特許請求の範囲】
【請求項１】
放送受信機能を持つ録画機器のユーザの住まいに関する情報およびこの録画機器の使用場所に関する情報を入力する工程を、ユーザとの対話形式で行なう初期設定の方法において、
前記初期設定を行なうか否かの問合せを表示し、
前記初期設定を行なうときは前記ユーザの住まいに関する情報として地方の情報入力を案内し、
前記初期設定を行なうときは前記録画機器の使用場所に関する情報として地域の情報入力を案内し、
前記録画機器の使用場所に関する前記地域の情報が入力されたら前記録画機器で実際に受信可能な放送チャネルを検索して検索結果を表示する初期設定方法。
【請求項２】
前記初期設定は、前記録画機器の販売または頒布後若しくは前記録画機器の電源プラグが電源コンセントから長期間外されていた後であって、前記録画機器の電源が初めてオンされた際に実行されるように構成され、
前記初期設定を行なうときは、前記録画機器に接続される表示装置の画面形状の選択を案内する請求項１に記載の初期設定方法。
【請求項３】
前記初期設定は、前記録画機器の販売または頒布後若しくは前記録画機器の電源プラグが電源コンセントから長期間外されていた後であって、前記録画機器の電源が初めてオンされた際に実行されるように構成され、
前記初期設定を行なうときは、前記録画機器の内蔵タイマの時刻合わせ操作を案内する請求項１または請求項２に記載の初期設定方法。
【請求項４】
前記初期設定は、前記録画機器の販売または頒布後若しくは前記録画機器の電源プラグが電源コンセントから長期間外されていた後であって、前記録画機器の電源が初めてオンされた際に実行されるように構成され、
前記初期設定を行なうときは、デフォルトで用いる録画画質の選択を案内する請求項１ないし請求項３のいずれか１項に記載の初期設定方法。
【請求項５】
請求項４に記載の初期設定方法が、複数種類の光ディスクに対して１以上の録画フォーマットで録画可能なレコーダの初期設定において用いられ、請求項４に記載の案内により選択された録画画質に対応するビットレートが、前記１以上の録画フォーマットの何れかを用いた前記複数種類の光ディスクの録画に対してデフォルトで適用される。
【請求項６】
前記録画機器の販売または頒布後若しくは前記録画機器の電源プラグが電源コンセントから長期間外されていた後であって、前記録画機器の電源が初めてオンされた際に、請求項１ないし請求項５のいずれか１項に記載の初期設定方法を実行するマイクロコンピュータブロックと、
この初期設定方法で設定された前記受信可能な放送チャネルの放送番組を録画する手段と、
録画された番組を再生する手段とを備えた放送受信チューナ付きビデオレコーダ。
【発明の詳細な説明】
【技術分野】
【０００１】
この発明は、ビデオレコーダの初期設定方法と装置に関する。
【背景技術】
【０００２】
デジタルバーサタイルディスク（ＤＶＤ）の録画フォーマットには、セル販売されるＤＶＤソフトなどで使用されているＤＶＤビデオフォーマットと、ＤＶＤレコーダで使用され編集処理が可能なＤＶＤ−ＶＲフォーマットがある。多くのＤＶＤレコーダでは、記録媒体として、ハードディスク（ＨＤＤ）および光ディスク（ＤＶＤ−ＲＡＭ、ＤＶＤ−ＲＷ、ＤＶＤ−Ｒ等）が使用されている。ＤＶＤレコーダでは、これらの種々な記録媒体を適宜使い分けて、ＤＶＤ−ＶＲまたはＤＶＤビデオフォーマットで放送録画を行えるようになっている（特許文献１参照）。
【特許文献１】特開２００４−１２７４７０
【発明の開示】
【発明が解決しようとする課題】
【０００３】
最近の録画機器（ＤＶＤレコーダ等）では、受信可能な放送の種類（地上アナログ放送、地上デジタル放送、衛星ＢＳ放送、衛星ＣＳ放送、ケーブルＴＶ等）が増え、使用可能な録画フォーマットおよびディスクの種類が増加したことに伴い、その初期設定を含めて機器設定操作が複雑化し、またその取扱説明書の記載量が多くなる（読む気が失せる）傾向にある。しかし、従来の録画機器では、初回起動時（ユーザがレコーダを購入後初めて電源オンした際）に設定メニューの表示が行われるだけであり、取扱説明書を読まないと何処をどう設定すれば良いのか分かりにくい。
【０００４】
この発明の課題の１つは、取扱説明書を読まなくてもユーザが設問に答えるという対話形式で初期設定を可能とする方法（初期設定ウィザード）を提供することである。
【課題を解決するための手段】
【０００５】
この発明の一実施の形態に係る初期設定方法では、ユーザがレコーダを購入後初めて電源オンした際に、対話形式で以下の操作を行なう。すなわち、
前記録画機器の販売または頒布後若しくは（ユーザの引っ越し等で）前記録画機器の電源プラグが電源コンセントから長期間外されていた後であって、前記録画機器の電源が初めてオンされた際に、初期設定を行なうか否かの問合せを表示し（ステップＳＴ０１）、
前記初期設定を行なうときは（ステップＳＴ０１イエス）前記ユーザの住まいに関する情報として地方（例えば関東地方）の情報入力を案内し（ステップＳＴ０２〜ＳＴ０３）、
前記初期設定を行なうときは（ステップＳＴ０１イエス）前記録画機器の使用場所に関する情報として地域（例えば東京２３区）の情報入力を案内し（ステップＳＴ０４）、
前記録画機器の使用場所に関する前記地域（例えば東京２３区）の情報が入力されたら（ステップＳＴ０５イエス）前記録画機器で実際に受信可能な放送チャネルを検索して（ステップＳＴ０５ａ）検索結果（アンテナ受信できたチャネルおよび／または契約したケーブルＴＶのチャネル等）を表示する（ステップＳＴ０６）。
【発明の効果】
【０００６】
ユーザは、最初に電源オンしたときに出てくる画面表示に従い、自分が知っている情報（自分が住んでいる地方・地域）を入力（メニュー選択）するだけで、最小限必要な初期設定を済ませることができる。
【発明を実施するための最良の形態】
【０００７】
以下、図面を参照してこの発明の実施の形態を説明する。図１は、この発明を適用した映像録画装置（ＨＤＤ／ＤＶＤレコーダ）の実施の一形態を示す図である。この実施の形態では、記録媒体としてＤＶＤ−Ｒなどの光ディスクとハードディスクの双方を取り扱うことができる装置（ＨＤＤ付ＤＶＤ−ＶＲレコーダ）として示しているが、記録媒体として半導体メモリ等を適宜併用してもよい。図１において、各ブロックを大きく分けると、左側には記録部の主なブロックを示し、右側には再生部の主なブロックを示している。
【０００８】
図１の映像録画装置は、２種類のディスクドライブ部を有する。まず、ビデオファイルを構築できる情報記録媒体である第１のメディアとしての光ディスク（ＤＶＤ−ＲＡＭ、ＤＶＤ±ＲＷ、ＤＶＤ±Ｒなど）１００１を回転駆動し、情報の読み書きを実行するディスクドライブ部１００２を有する。また、第２のメディアとしてのハードディスク（ＨＤＤ）を駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系（波長が６５０ｎｍの赤色レーザ、あるいは４０５ｎｍもしくはそれ以下の青色レーザを用いる）、光学系などを有する。データプロセッサ部１００３は、記録または再生単位のデータを取り扱うもので、バッファ回路、変調・復調回路、エラー訂正部などを含む。
【０００９】
また図１の映像録画装置は、録画側を構成するエンコーダ部５０と、再生側を構成するデコーダ部６０と、装置本体の動作を制御するマイクロコンピュータブロック３０とを主たる構成要素としている。エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部５０の出力は、バッファメモリを含むフォーマッタ５１にて所定のフォーマット（ＤＶＤ−ＲＡＭフォーマット等）に変換され、先のデータプロセッサ部１００３に供給される。エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００１０】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。エンコーダ部５０に含まれるビデオエンコーダでは、デジタルビデオ信号はＭＰＥＧ２（またはＭＰＥＧ１もしくはＭＰＥＧ４−ＡＶＣ）規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１１】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤビデオフォーマット）や、ＤＶＤ-レコーディング規格で規定されたフォーマット（ＤＶＤ−ＶＲフォーマット）に変換される。
【００１２】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。またハードディスクあるいは光ディスク１００１に記録されている複数番組のビデオオブジェクトを、一部削除したり、分割したり、異なる番組のオブジェクトを繋げたり、といった編集処理を行うこともできる。これは、この発明の一実施の形態で利用するＤＶＤ−ＶＲフォーマットが、取り扱うデータ単位を定義し、編集を容易にしているからである。
【００１３】
マイクロコンピュータブロック３０は、ＭＰＵ（マイクロプロセッシングユニット）、またはＣＰＵ（セントラルプロセッシングユニット）と、制御プログラム等（ファームウエア等）が書きこまれたファームウエアＲＯＭと、プログラム実行に必要なワークエリアを提供するためのワークＲＡＭなどを含んでいる。マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定、履歴情報検索処理などを実行する。
【００１４】
すなわち、マイクロコンピュータブロック３０は、システム全体を制御するために必要な情報処理部を有するもので、ファームウエアＲＯＭ３１ａ、ワークＲＡＭ３１、ディレクトリ検出部３２のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。さらに、マイクロコンピュータブロック３０は、ＤＶＤ−Ｒディスクに対してＶＲ記録等を行なう際の区画（Rzone）の処理を行なう処理部３６と、履歴情報検索を行なう処理部３５と、録画を実行する際の管理情報の制御部３４と、編集を実行する際の管理情報の制御部３３と、記録可能光ディスク（ＤＶＤ−Ｒ／＋Ｒ、ＤＶＤ−ＲＷ／＋ＲＷなど）の初期化（フォーマッティング）処理部３８、記録可能光ディスクのファイナライズ処理部３９などを備える。なお、部分使用済みディスクを初期化状態に戻す処理等はその他の処理部３７で処理される。
【００１５】
ＭＰＵの実行結果のうち、ユーザに通知すべき内容は、映像データ記録再生装置の表示部４３に表示されるか、またはモニターディスプレイ７５にＯＳＤ（オンスクリーンディスプレイ）表示される。またマイクロコンピュータブロック３０は、この装置を操作するための操作信号を与えるキー入力部４４を有する。このキー入力部４４は、例えば映像録画装置の本体上に設けた操作スイッチ類や、あるいはリモコン装置などに相当する。また、入力部４４は、この発明の一実施の形態に係る映像録画装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００１６】
なお、マイクロコンピュータブロック３０が、ディスクドライブ部１００２、ハードディスクドライブ部２００１、データプロセッサ部１００３、エンコーダ部５０および／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００１７】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰデコーダと、セパレータで分離されたオーディオデータ（オーディオパックの内容）をデコードするAデコーダとを有する。またデコードされた主映像にデコードされた副映像を適宜合成し、主映像にメニュー、ハイライトボタン、字幕やその他の副映像を重ねて出力するビデオプロセッサを備えている。
【００１８】
デコーダ部６０の出力ビデオ信号は、ビデオミキシング部７１に入力される。ビデオミキシング部７１では、テキストデータの合成が行われる。またビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００１９】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４１からのデジタル信号を直接モニターする時、エンコーダ部５０をスルーした信号を直接選択することも可能である。
【００２０】
なお、エンコーダ部５０のフォーマッタ５１では、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２１】
また図１の装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２２】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００２３】
次に、図２を参照して、管理情報と、コンテンツである実映像データとの関係を簡単に説明する。まず実映像データについて説明する。ここでは実映像データは記録メディア上で１つのファイルにまとめられているとする。１つのファイルは、１つまたは複数の実映像データストリームで構成されている。１つ１つの実映像データストリームは、例えば１回の録画処理により記録される単位であったりする。これは、例えばＤＶＤ−ＶＲ規格におけるＶＯＢ（ビデオオブジェクト）などに相当する。１つの実映像データストリームは、１つまたは複数のストリーム部分領域で構成される。これは、例えばＤＶＤ−ＶＲ規格におけるＶＯＢＵ（ビデオオブジェクトユニット）や、ＭＰＥＧ２規格におけるＧＯＰ（グループオブピクチャ）などに相当する。１つのストリーム部分領域は、複数パックから構成される。複数のパックとしては、情報パック、映像パック、音声パックなどが存在する。副映像パックが存在してもよい。
【００２４】
情報パックは、例えばＤＶＤビデオレコーディング（ＤＶＤ−ＶＲ）規格におけるＲＤＩパックなどに相当する。その場合、このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報は、コピー許可情報、またはコピー禁止（非許可）情報を含む。なお、デジタル放送コンテンツには１度だけ録画を許可するコピーワンスのコピーコントロール情報が付加されている。このようなコンテンツを一旦ＨＤＤあるいはＤＶＤ−ＲＡＭ等に録画すると、録画されたコンテンツはそれ以上のコピーが禁止される。但し、使用機器によっては、ダビング実施に伴いダビング元のコンテンツを消去するムーブ（移動）が可能な場合がある。図１に例示したレコーダは、このムーブも可能に構成されている。
【００２５】
映像パックはビデオデータがＭＰＥＧ２の方式で圧縮されたもので、パックヘッダ、パケットヘッダ、ビデオデータ部で構成される。音声パックはオーディオデータが、例えばリニアＰＣＭあるいはＭＰＥＧ、あるいはＡＣ−３などの方式で処理されたものであり、パックヘッダ、パケットヘッダ、オーディオデータ部で構成される。
【００２６】
次に、管理情報について説明する。管理情報の中に、実映像データの再生順序を管理する情報（再生順序情報）であるオリジナルタイトル（プログラム）情報が定義されている。これは、例えばＤＶＤ−ＶＲ規格におけるプログラムなどに相当する。個々のオリジナルタイトル情報（またはプログラム情報）の中には参照情報が定義されており、これは再生すべき対象となる実映像データに関する情報である実映像データ情報とリンクしている。これらは、例えばＤＶＤ−ＶＲ規格におけるセルとビデオオブジェクト情報（ＶＯＢＩ）などに相当する。このようにオリジナルタイトル（プログラム）は、再生順序を管理する情報（再生順序情報）およびそれ自身の実映像データを持ち、通常、録画時にはこのタイトルが作成される。
【００２７】
これに対し、再生順序を管理する情報（再生順序情報）のみで構成されているものもある。これがプレイリスト情報であり、例えばＤＶＤ−ＶＲ規格におけるプレイリストなどがこれに相当する。このプレイリスト情報はそれ自身の実映像データを持たず、図２に示すように、オリジナルタイトルの実映像データ情報に対してリンクしている参照情報を編集（削除、追加）することでプレイリストとして作成される。
【００２８】
実映像データ情報内にはタイムマップ情報が記述されている。このタイムマップ情報は、実映像データ情報に対応する実映像データストリームを構成している部分領域を指定する。管理情報のオリジナルタイトル情報あるいはプレイリスト情報の参照情報から実映像データ情報へのリンクは、論理アドレスで特定されている。またタイムマップ情報から実映像データストリーム及びその部分領域へのリンクは、実映像データストリームの番号、そのストリーム内の部分領域の数、個々の部分領域に対するエントリ番号、個々の部分領域への論理アドレスに基づいて行われている。このような構成により、録画された映像データの通常の再生のみならず、倍速／スロー再生や逆再生のような特殊再生、更にはシーンのサーチなどに対応することができる。
【００２９】
以下、図を参照してこの発明の実施の形態の動作を説明する。以下の説明においては、この発明の一実施の形態に係る映像録画装置は、次のような構成を取るものとしている。すなわち、この映像録画装置は、ＤＶＤ録画規格（ＤＶＤ−ＶＲ規格）に基づいたＤＶＤ録画装置である。この場合、ＤＶＤディスク（通常はＤＶＤ−ＲＡＭディスクまたはＤＶＤ−ＲＷディスクであるが、ＤＶＤ−Ｒへのビデオレコーディングも可能）上にはＤＶＤ−ＶＲフォーマットと呼ばれるデータフォーマットで録画される。加えて、この映像録画装置は、ＤＶＤビデオ規格（ＤＶＤビデオ規格）に基づいてＤＶＤディスクへ録画する機能も有するものとする。この場合は、ＤＶＤディスク（ＤＶＤ−Ｒディスク等）上にはＤＶＤビデオフォーマットと呼ばれるデータフォーマットで録画される。
【００３０】
この発明の一実施の形態に係る映像録画装置では、書換え可能なＤＶＤ−ＲＡＭディスクやＤＶＤ−ＲＷディスクだけでなく、ライトワンスメディアであるＤＶＤ−Ｒディスクも使用できる。これらＤＶＤディスクに対して録画を実施する際のフォーマットは、ＤＶＤディスクの種類毎に一意に固定されるものではなく、例えばＤＶＤ−Ｒに対して、ＤＶＤ−ＶＲフォーマットまたはＤＶＤビデオフォーマットのいずれのフォーマットによっても録画が実施できるものとする。
【００３１】
また、以下の説明においては、この発明の一実施の形態に係る映像録画装置は、先に説明した図１のブロック図で示されるような、ＤＶＤとＨＤＤの２つの録画メディアを有するハイブリッド録画機であるとし、ＤＶＤとＨＤＤ相互間での映像情報のダビング（あるいはムーブ）が可能であるとする。ただし、この発明の実施の形態の内容は、ハイブリッド録画機だけに適用されるものではなく、ＤＶＤディスクへの録画機能のみを有した、ＤＶＤ単体の録画機（パーソナルコンピュータをソフトウエアでＤＶＤレコーダとして機能させるものも含む）に対しても適用できる。
【００３２】
また、この発明の一実施の形態に係る映像録画装置においては、録画されたタイトル内の部分領域をチャプタと呼称することとする。たとえばＤＶＤ−ＶＲフォーマットで録画された場合、チャプタは、タイトル内に設定された、ＤＶＤ−ＶＲ規格で定義されているエントリポイント（ＥＰ）をその境界の目印として利用している。すなわち、タイトル内に設定したあるＥＰとその次のＥＰとで挟まれた区間をチャプタと呼ぶ。なお、タイトルの始点と終点については、ＥＰの有無に関わらずチャプタの境界とする。従って、タイトルの１番目のチャプタについては、その始点にＥＰが立っていないこともあり得る。
【００３３】
図３は、ＤＶＤ録画規格（ＤＶＤ−ＶＲ規格）で規定されているディレクトリとファイルの構成を示す概略図である。この図３は、ＤＶＤ−ＶＲ規格のVer 1.1で規定されているディレクトリおよびファイルを例示している。ＤＶＤ−ＶＲ規格のVer 1.1では、ルートディレクトリの下にＤＶＤ＿ＲＴＡＶというサブディレクトリを設けており、規格で規定されているファイルはこのＤＶＤ＿ＲＴＡＶの下に収められている。つまりＤＶＤ＿ＲＴＡＶの下には、図３に示す５種類のファイルのみが存在する。以下、個々のファイルについて説明する。
【００３４】
まず、ＶＲ＿ＭＡＮＧＲ．ＩＦＯは、オリジナルタイトル（プログラム）やプレイリストに対するナビゲーションデータである。これは先に説明した図２に示される管理情報に相当する。プレイリストやエントリポイント（ＥＰ）などはこのＶＲ＿ＭＡＮＧＲ．ＩＦＯの中に記述されている。映像データに直接処理を施さなくても、このＶＲ＿ＭＡＮＧＲ．ＩＦＯの記述を変更することによって、不要なシーンの削除などの編集処理を施すことができる。従って、チャプタ作成やプレイリスト編集などの編集処理を施す場合、主にこのＶＲ＿ＭＡＮＧＲ．ＩＦＯが処理の対象となる。また、このＶＲ＿ＭＡＮＧＲ．ＩＦＯには、録画に連動して実映像データに対するタイムマップ情報が書き込まれる。このＶＲ＿ＭＡＮＧＲ．ＩＦＯにはディスク全体に関わる情報も書き込まれるため、ＤＶＤディスクを初期化した際にただちに作成される。
【００３５】
ＶＲ＿ＭＡＮＧＲ．ＢＵＰは上記のＶＲ＿ＭＡＮＧＲ．ＩＦＯのバックアップファイルである。このＶＲ＿ＭＡＮＧＲ．ＢＵＰは規格上はオプションとされており、必ずしも存在するとは限らない。もしもＶＲ＿ＭＡＮＧＲ．ＢＵＰを使用するのであれば、そのファイルの内容はＶＲ＿ＭＡＮＧＲ．ＩＦＯと同じでなくてはならない。
【００３６】
一方、ＶＲ＿ＭＯＶＩＥ．ＶＲＯは、録画された動画像のＡＶ（Audio Visual）データファイルであり、先に説明した図２の実映像データに相当する。ここには、パック化された映像データ、音声データ、またサポートされている場合にはサブピクチャデータが多重化して収められている。ＶＲ＿ＳＴＩＬＬ．ＶＲＯファイルは、静止画像のＡＶデータファイルであり、ＶＲ＿ＭＯＶＩＥ．ＶＲＯと同様に、先に説明した図２の実映像データに相当する。ここにはパック化された映像データが収められている他、オプションとして音声データやサブピクチャデータが多重化されていることもある。また、ＶＲ＿ＡＵＤＩＯ．ＶＲＯファイルは、前記ＶＲ＿ＳＴＩＬＬ．ＶＲＯに収められた静止画像に対するアフレコ（アフターレコーディング）音声情報を収めたデータファイルである。
【００３７】
ＶＲ＿ＭＯＶＩＥ．ＶＲＯ、ＶＲ＿ＳＴＩＬＬ．ＶＲＯおよびＶＲ＿ＡＵＤＩＯ．ＶＲＯファイルは、ＤＶＤディスクを初期化した際には存在せず、実際に録画が行われた際に作成され、映像データや音声データが記録されることになる。なお、この３種類のファイルは必ず存在するものではなく、例えば静止画の記録機能やアフレコ機能を有していない映像録画装置にはＶＲ＿ＳＴＩＬＬ．ＶＲＯやＶＲ＿ＡＵＤＩＯ．ＶＲＯファイルが存在しないことがある。
【００３８】
ＤＶＤ−ＶＲ規格のVer 1.1で規定されているファイルは以上であるが、それ以外に、映像録画装置の操作性の向上や機能の付加を目的として、その映像録画装置の独自の情報ファイルを作成することも可能である。その場合、それら独自の情報ファイルはＤＶＤ＿ＲＴＡＶの下に格納せず、ルートディレクトリの直下あるいはルートディレクトリの下に作成した独自のサブディレクトリの下に格納するとよい。
【００３９】
図４は、この発明の一実施の形態に係る初期設定の操作を説明するフローチャート図である。また、図５は、この発明の一実施の形態に係る初期設定の操作において、どのような表示がユーザに対してなされるのかの具体例を説明する図である。
【００４０】
ユーザが録画機器（図１のレコーダ）購入後（あるいは引っ越し等で図１のレコーダのＡＣプラグが長期間抜かれてあった後）に初めて機器のＡＣプラグをＡＣコンセントに挿入して機器の電源をオンすると、図４の初期設定処理が自動的にスタートする。まず、最初に出てくる画面（図５の画面表示１）の案内に従い、ユーザは、初期設定（初回設定）を続けるかどうか決める（ステップＳＴ０１）。続けないときは電源をオフにする（ステップＳＴ０１ノー）。再度初期設定をやり直したいときは、電源ボタンを再度押せばよい。
【００４１】
初期設定が行なわれるときは（ステップＳＴ０１イエス）、ユーザの住まいに関する情報として地方（例えば関東地方）および地域（例えば東京２３区）の情報入力が案内される（ステップＳＴ０２〜ＳＴ０４）（図５の画面表示２〜４）。これにより、ユーザは、（取扱説明書を読むことなく）自分の住まいに関する情報（地方）およびこの録画機器の使用場所に関する情報（受信できる放送チャネルに関する地域）を対話形式で入力できる。この入力操作は、図５の各画面表示例の左上側にある４方向カーソル矢印ボタンとその中央の○で示される決定ボタンのオン操作により行なうことができる。
【００４２】
録画機器の使用場所に関する地域（例えば東京２３区）の情報が入力されると（ステップＳＴ０５イエス）（図５の画面表示５）、録画機器で実際に受信可能な放送チャネルが検索され（ステップＳＴ０５ａ）、その検索結果（アンテナ受信できたチャネルおよび／または契約したケーブルＴＶのチャネル等）が表示される（ステップＳＴ０６）（図５の画面表示６）。
【００４３】
続いて、録画機器に接続される表示装置（図１のモニタ７５）の画面形状（１６：９、４：３等）の選択が案内される（ステップＳＴ０７）（図５の画面表示７）。さらに、録画機器の内蔵タイマ（図示しないが図１のその他の処理部３７中に設けることができる）の時刻合わせ操作が案内される（ステップＳＴ０８〜ＳＴ０９）（図５の画面表示８）。この案内に従い、表示された日時および時刻で良ければそのまま「修正しない」表示マークを選んで決定ボタンを押す（ステップＳＴ０８ノー）。表示された日時および時刻が間違っておれば、時刻を修正し（ステップＳＴ０８ａ）、修正が正しく行われたら（ステップＳＴ０９イエス）、図示しないリモコンの決定ボタンを押して（図５の画面表示９）、録画画質の選択処理へ移る（ステップＳＴ１０）。
【００４４】
通常の初期設定は以上まででもよいが、使用するディスクの容量と録画する放送番組にユーザが要求する画質と実際に録画すべき放送番組の時間との兼ね合いで、デフォルトの画質を初期設定で決めておくことができる（ステップＳＴ１０）。具体的には、容量４．７ＧＢの片面１層ＤＶＤ−Ｒを用い２時間番組をＤＶＤ−ＶＲフォーマットで１つ録画することが多ければ、初期設定される画質として中画質（ビットレート４〜４．６Ｍｂｐｓ）を選択する（一定時間（例えば３分間）ユーザが画質選択しなければこの中画質が自動選択される）。容量４．７ＧＢの片面１層ＤＶＤ−Ｒで１時間番組を１つ画質に拘って録画することが多ければ、初期設定される画質として高画質（ビットレート８〜９Ｍｂｐｓ）を選択する（音質にも拘るときは、例えば音声記録にリニアＰＣＭを設定し映像記録用には６〜８Ｍｂｐｓを割り当てるような初期設定の選択枝を追加することも可能）。容量４．７ＧＢの片面１層ＤＶＤ−Ｒで１時間番組を４つ画質に拘らずに録画することが多ければ、初期設定される画質として低画質（ビットレート２〜２．２Ｍｂｐｓ）を選択する（図５の画面表示１０）。いずれにせよ、ユーザは小数の選択枝から１つの画質を選択するだけでよいので、取扱説明書を読まなくても初期設定を済ますことができる。
【００４５】
なお、図示はしていないが、図４の初期設定の最終ステップＳＴ１０の中（またはその後）で、図１のディスクドライブ１００２に装填されたディスク１００１が未使用のＤＶＤ−Ｒディスクである場合に、そのディスクをＤＶＤ−ＶＲにフォーマットしてから使用する処理を自動化するような初期設定をしておくことができる（この初期設定をしない場合は、ドライブ１００２に装填された未使用ＤＶＤ−Ｒディスクは別途ＶＲモードで初期化しておかないとＤＶＤビデオモードで録画されることになる。しかし、ＤＶＤビデオモードで録画した場合はＶＲモードで録画した場合よりも編集操作に制限が生じる）。このような初期設定により、ユーザ好みの録画フォーマット（ＤＶＤ−ＶＲ等）を用いユーザ好みの光ディスク（ＤＶＤ−Ｒ等）を用いた録画において、デフォルトで適用される初期設定が簡単に済む。
【００４６】
以上の初期設定が完了すると、初期設定内容が装置内の不揮発性メモリ（あるいはバッテリバックアップされたメモリ）に格納され、以後の電源オン時に初期設定の案内が勝手に表示されることはない（初期設定をやり直したいときは、取扱説明書の記述に従い初期設定をやり直すか、機器のＡＣプラグをＡＣコンセントからしばらく抜いてのちＡＣプラグをコンセントに差し直して、初期設定ウィザートを実行すればよい）。この初期設定内容を記憶するメモリは、図１では図示していないが、マイクロコンピュータブロック３０内に設けておくことができる。
【００４７】
この発明は、機器購入後その電源が初めてオンされた際にだけ（あるいは引っ越し等で機器のＡＣプラグが電源コンセントから抜かれた状態が長期間あって初期設定の記憶内容が消滅している状態で、機器の電源が初めてオンされた際にだけ）初期設定方法を自動的に実行するマイクロコンピュータブロック（３０）と、この初期設定方法で設定された「受信可能な放送チャネルの放送番組」を録画する手段（４２、５０〜５２、１００１〜１００３、２００１）と、録画された番組を再生する手段（１００１〜１００３、２００１、６０）とを備えた、放送受信チューナ（４２）付きビデオレコーダにおいて実施できる。
【００４８】
とはいえ、この発明が実施される機器において、電源が初めてオンされたとき以外の任意のときに（ユーザの希望により）初期設定を実施するように構成することは可能である。
【００４９】
＜実施の形態による効果＞
ユーザは、最初に電源オンしたときに自動的に出てくる画面表示に従い、自分が知っている情報（自分が住んでいる地方・地域）を対話形式で入力（メニュー選択）するだけで、放送録画機として最小限必要な初期設定を済ませることができる。
【００５０】
なお、この発明は前述した実施の形態に限定されるものではなく、現在または将来の実施段階では、その時点で利用可能な技術に基づき、その要旨を逸脱しない範囲で種々に変形することが可能である。例えば、ＤＶＤドライブとＴＶチューナを備えたパーソナルコンピュータにおいても、この発明を用いたソフトウエアをインストールすることにより、この発明を実施することができる。
【００５１】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００５２】
【図１】この発明の一実施の形態に係る映像録画装置の概要を説明するブロック図。
【図２】この発明の一実施の形態における管理情報と実映像データとの関係を説明する図。
【図３】ＤＶＤ録画規格（ＤＶＤ−ＶＲ規格）で規定されているディレクトリとファイルの構成例を説明する概略図。
【図４】この発明の一実施の形態に係る初期設定の操作を説明するフローチャート図。
【図５】この発明の一実施の形態に係る初期設定の操作において、どのような表示がユーザに対してなされるのかの具体例を説明する図。
【符号の説明】
【００５３】
３０…マイクロコンピュータブロック、３１…ワークＲＡＭ、３１ａ…ファームウエアＲＯＭ、３２…ディレクトリ検出部、３３…編集時の管理情報制御部、３４…録画時の管理情報制御部、３５…履歴情報検索処理部、３６…区画処理部、３８…初期化処理部、３９…ファイナライズ処理部、４１…ＡＶ入力部、４２…ＴＶチューナ、４３…表示部、４４…キー入力部、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ部。
【図１】
2006324744.tif 000003
【図２】
2006324744.tif 000004
【図３】
2006324744.tif 000005
【図４】
2006324744.tif 000006
【図５】
2006324744.tif 000007